【事件の表示】
　特許第６１０１３１０号発明「水中油型乳化組成物」の特許異議申立事件について、次のとおり決定する。
【結　論】
　特許第６１０１３１０号の特許請求の範囲を訂正請求書に添付された訂正特許請求の範囲のとおり、訂正後の請求項〔１−６〕について訂正することを認める。
　特許第６１０１３１０号の請求項１ないし６に係る特許を維持する。
【理　由】
第１　手続の経緯
　特許第６１０１３１０号は、平成２９年３月３日付けでその特許権の設定登録がされ、同年３月２２日にその特許公報が発行され、その後、請求項１−６に係る特許に対して、平成２９年９月６日に特許異議申立人　中川勇士から特許異議の申立てがなされたものである。そして、その後の経緯は以下のとおりである。
平成２９年１１月　８日付け：取消理由の通知
平成３０年　１月１１日　　：訂正の請求及び意見書の提出（特許権者）
第２　訂正の可否
１　訂正の内容
　平成３０年１月１１日付け訂正請求書による訂正（以下、「本件訂正」という。）の内容は次のとおりである。なお、訂正前の請求項１−６は一群の請求項である。
　特許請求の範囲の請求項１の
「次の成分(A)〜(D)を含有し、」を、
「次の成分(A)〜(D)を含有し、成分(A)の含有量が0.01質量％以上３質量％以下であり、」に訂正する。
２　訂正の目的の適否、新規事項の有無、及び特許請求の範囲の拡張・変更の存否
　本件訂正は、本件特許の請求項１に係る水中油型乳化組成物において、「(A)水膨潤性粘土鉱物」の含有量を限定するものである。この限定は、本件明細書【００１４】の「本発明組成物中における成分(A)の含有量は、低温安定性、使用感（浸透感、保湿感の持続性、べたつきのなさ、きしみ感のなさ）の観点から、好ましくは0.01質量％以上…であり、また、好ましくは…３質量％以下…である。」との記載に基づくものである。
　そうすると、本件訂正は、特許請求の範囲の減縮を目的とするものであって、願書に添付した明細書又は特許請求の範囲に記載した事項の範囲内においてしたものといえ、実質上特許請求の範囲を拡張又は変更するものではない。
３　むすび
　以上のとおりであるから、本件訂正は特許法第１２０条の５第２項ただし書第１号に掲げる事項を目的とするものであり、かつ、同条第９項において準用する同法第１２６条第５項及び第６項の規定に適合するので、本件訂正を認める。
第３　本件訂正後の請求項１−６に係る発明
　上記第２で述べたように、本件訂正は認められるので、本件の請求項１−６に係る発明（以下、本件特許の請求項１等に係る発明を「本件発明１」等という。また、これらをまとめて「本件発明」という。）は、平成３０年１月１１日提出の訂正請求書に添付された訂正特許請求の範囲の請求項１−６に記載された以下の事項によって特定されるとおりのものである。
「【請求項１】
　次の成分(A)〜(D)を含有し、成分(A)の含有量が0.01質量％以上３質量％以下であり、成分(B)を含む油性成分の総含有量が１質量％以上30質量％以下であり、成分(C)を含む多価アルコールの総含有量が７質量％以上25質量％以下であり、成分(C)の含有量が組成物中に含まれる多価アルコールの総含有量中の10質量％以上30質量％以下である水中油型乳化組成物。
　(A) 水膨潤性粘土鉱物
　(B) 20℃で液状の極性油
　(C) ４価、５価及び６価の多価アルコールから選ばれる少なくとも１種以上
　(D) 水溶性高分子
【請求項２】
　成分(B)の含有量が、組成物中に含まれる油性成分の総含有量中の10質量％以上である請求項１記載の水中油型乳化組成物。
【請求項３】
　成分(C)の含有量が、組成物中に含まれる多価アルコールの総含有量中の15質量％以上25質量％以下である請求項１又は２記載の水中油型乳化組成物。
【請求項４】
　成分(B)のSP値が15以上19以下、かつ分子量500以下である請求項１〜３のいずれか１項に記載の水中油型乳化組成物。
【請求項５】
　成分(B)のSP値が15以上18以下、かつ分子量250以上330以下である請求項１〜３のいずれか１項に記載の水中油型乳化組成物。
【請求項６】
　成分(B)が、炭素６以上20以下の直鎖又は分岐の脂肪酸と炭素数２以上12以下の分岐アルコールとのエステルを含む請求項１〜５のいずれか１項に記載の水中油型乳化組成物。」
第４　異議申立ての理由及び取消理由についての検討
１　異議申立ての理由の概要
　申立人の異議申立ての理由は、概要以下のとおりである。
・申立ての理由１
　請求項１−３に係る発明は甲第１号証に記載された発明であるから、特許法第２９条第１項第３号に該当し、請求項１−３に係る特許は同法第１１３条第２号の規定により取り消すべきものである。
・申立ての理由２
　請求項１−５に係る発明は甲第１号証に記載された発明に基づいて、請求項６に係る発明は甲第１号証及び甲第２号証に記載された発明に基づいて、それぞれ当業者が容易に発明をすることができたものであるから、請求項１−６に係る特許は特許法第１１３条第２号の規定により取り消すべきものである。
・申立ての理由３
　請求項４−６に係る特許は、特許法第３６条第４項第１号に規定する要件を満たしていない特許出願に対してされたものであるから、同法第１１３条第４号の規定により取り消すべきものである。
甲第１号証：特開２００１−３５４５１０号公報
　　　　　　（以下、「甲１」という。）
甲第２号証：「新化粧品ハンドブック」、平成１８年１０月３０日、
　　　　　　日光ケミカルズ株式会社他、６１−７９頁
　　　　　　（以下、「甲２」という。）
２　申立ての理由１、２について
（１）甲１に記載された事項
ア「【特許請求の範囲】
【請求項１】　炭素原子数が４〜６の糖アルコールと、シリコーン油とを含有する、水中油型の外用組成物。
【請求項２】　糖アルコールが、キシリトールまたはエリスリトールである、請求項１記載の水中油型の外用組成物。」
イ「【０００１】
【発明の属する技術分野】本発明は、化粧料等に用いることができる水中油型の外用組成物に関する発明である。」
ウ「【００１９】Ｂ．
本外用組成物の態様
本外用組成物の剤型は、水中油型の乳化組成物である。よって、その他の剤型、例えば、可溶化組成物等は勿論のこと、油中水型の乳化組成物も本外用組成物の剤型からは除外される。
【００２０】本外用組成物には、本発明の所期の効果を妨げない限り、外用の水中油型の乳化組成物に含有させ得るあらゆる成分を含有させることができる。具体的には、油脂、ロウ類、炭化水素油、高級アルコール、エステル類等を油相成分（本外用組成物の必須成分である、シリコーン油は、通常、油相成分として扱われる）として挙げることができる。
【００２１】また、水、多価アルコール、水溶性高分子等を水相成分（本外用組成物の必須成分である、炭素原子数が４〜６の糖アルコールは、通常、水相成分として扱われる）として挙げることができる。
【００２２】さらに、陰イオン性界面活性剤、陽イオン性界面活性剤、両性界面活性剤、非イオン性界面活性剤、シクロデキストリン、粘土鉱物、アミノ酸等を乳化剤として用いることができる。」
エ「【００３９】以下に、本外用組成物の他の処方例を記載する。これらの外用組成物は、いずれも、上記の各試験の結果、保湿効果に優れる上に、肌なじみに優れ、かつ、べたつきもなく、さらに、肌にうるおいやはりを与える効果が認められた。
【００４０】
　〔処方例２〕　水中油型のクリーム
　
含有成分
含有量（質量％）
Ａ相（油相）
　　セタノール　　　　　　　　　　　　　　　　　　　　　　　　0.5
　　ワセリン　　　　　　　　　　　　　　　　　　　　　　　　　2.0
　　スクワラン　　　　　　　　　　　　　　　　　　　　　　　　7.0
　　デカメチルシクロペンタシロキサン　　　　　　　　　　　　 10.0
　　自己乳化型モノステアリン酸グリセリン　　　　　　　　　　　2.5
　　ポリオキシエチレン(20)ソルビタンモノステアリン酸エステル　1.5
　　パントテニルエチルエーテル　　　　　　　　　　　　　　　　0.5
　　ホホバ油　　　　　　　　　　　　　　　　　　　　　　　　　5.0
Ｂ相（水相）
　　プロピレングリコール　　　　　　　　　　　　　　　　　　　5.0
　　グリセリン　　　　　　　　　　　　　　　　　　　　　　　　5.0
　　キシリトール　　　　　　　　　　　　　　　　　　　　　　　3.0
　　ビーガム（モンモリロナイト）　　　　　　　　　　　　　　　5.0
　　ヒアルロン酸ナトリウム　　　　　　　　　　　　　　　　　　0.05
　　水酸化カリウム　　　　　　　　　　　　　　　　　　　　　　0.3
　　水　　　　　　　　　　　　　　　　　　　　　　 　　　　　残余
＜製造方法＞Ａ相とＢ相をそれぞれ７０℃に加熱し、完全溶解した。次いで、Ａ相をＢ相に加えて、乳化機で乳化した。得られた乳化物を熱交換機を用いて冷却して、水中油型のクリームを得た。」
（２）甲１に記載された発明（甲１発明）
　上記（１）エの処方例２に関し、「水中油型のクリーム」は、乳化物として得られているので、「水中油型乳化組成物」と認められる。そうすると、上記（１）エの記載から、甲１には以下の甲１発明が記載されているといえる。
「セタノール０．５質量％、ワセリン２．０質量％、スクワラン７．０質量％、デカメチルシクロペンタシロキサン１０．０質量％、自己乳化型モノステアリン酸グリセリン２．５質量％、ポリオキシエチレン（２０）ソルビタンモノステアリン酸エステル１．５質量％、パントテニルエチルエーテル０．５質量％、ホホバ油５．０質量％、プロピレングリコール５．０質量％、グリセリン５．０質量％、キシリトール３．０質量％、ビーガム（モンモリロナイト）５．０質量％、ヒアルロン酸ナトリウム０．０５質量％、水酸化カリウム０．３質量％、残余の水を含有する水中油型乳化組成物。」
（３）対比・判断
ア　甲１発明の各成分において、「ビーガム（モンモリロナイト）」は本件発明１の「(A)水膨潤性粘土鉱物」に、「ホホバ油」は同「(B)20℃で液状の極性油」に、「ホホバ油」と併せ「セタノール」、「ワセリン」、「スクワラン」、「デカメチルシクロペンタシロキサン」及び「パントテニルエチルエーテル」は同「油性成分」に、「キシリトール」は同「(C)４価、５価及び６価の多価アルコールから選ばれる少なくとも１種」に、「ヒアルロン酸ナトリウム」は同「(D)水溶性高分子」に、「キシリトール」と併せ「プロピレングリコール」及び「グリセリン」は同「多価アルコール」に、それぞれ相当する。
　本件発明１の「油性成分」に相当する甲１発明「ホホバ油」、「セタノール」、「ワセリン」、「スクワラン」、「デカメチルシクロペンタシロキサン」及び「パントテニルエチルエーテル」の総含有量は、（５．０＋０．５＋２．０＋７．０＋１０．０＋０．５＝）２５．０質量％となる。
　本件発明１の「多価アルコール」に相当する甲１発明「キシリトール」、「プロピレングリコール」及び「グリセリン」の総含有量は、（３．０＋５．０＋５．０＝）１３．０質量％となる。
　甲１発明「キシリトール」、「プロピレングリコール」及び「グリセリン」の総含有量に対する「キシリトール」の含有量は、（３．０／１３．０＝）２３．１質量％となる。
　そうすると、本件発明１と甲１発明とは以下の点で一致する。
「次の成分(A)〜(D)を含有し、成分(B)を含む油性成分の総含有量が25.0質量％であり、成分(C)を含む多価アルコールの総含有量が13.0質量％であり、成分(C)の含有量が組成物中に含まれる多価アルコールの総含有量中の23.1質量％である水中油型乳化組成物。
　(A) 水膨潤性粘土鉱物
　(B) 20℃で液状の極性油
　(C) ４価、５価及び６価の多価アルコールから選ばれる少なくとも１種以上
　(D) 水溶性高分子」
　そして、本件発明１と甲１発明とは、以下の点で相違する。
相違点：本件発明１では「成分(A)の含有量が0.01質量％以上３質量％以下」であるのに対し、甲１発明では本件発明１の成分(A)に相当する成分の含有量が５．０質量％である点。
イ　相違点について検討する。
　甲１には、「さらに、…粘土鉱物、…を乳化剤として用いることができる。」（上記（１）ウ）との記載があり、甲１発明の「ビーガム（モンモリロナイト）」はこの記載に基づいて用いられるものと認められる。しかし、甲１には、「ビーガム（モンモリロナイト）」のみならず、「粘土鉱物」につき、その含有量を「水中油型乳化組成物」全体の「0.01質量％以上３質量％以下」とすることの開示はなく、そうすることが自明ともいえない。
　そうすると、本件発明１と甲１発明とは、この相違点において異なることは明らかであり、本件発明１は、甲１に記載された発明であるとはいえない。
　そして、水膨潤性粘土鉱物である「ビーガム（モンモリロナイト）」の含有量を「水中油型乳化組成物」全体の「0.01質量％以上３質量％以下」とすることが当業者における技術常識であるとはいえず、甲１発明において、水膨潤性粘土鉱物である「ビーガム（モンモリロナイト）」の含有量を「0.01質量％以上３質量％以下」としてみることが、当業者にとって容易に想到し得るともいえない。更に、特許権者が平成３０年１月１１日提出の意見書の追試結果（３頁１５行〜４頁末行）が示すような、「浸透感、塗布時の保湿感、保湿感の持続性に優れ、べたつきやきしみ感がなく、保存安定性にも優れ（る）」（本件明細書【００５２】）といった本件発明の効果が予測できるとはいえない。
　このため、本件発明１は、甲１に記載された発明に基づいて当業者が容易に想到したものとはいえない。
（４）本件発明２−６について
　上記のとおり、本件発明１は、甲１に記載された発明とはいえず、また、甲１に記載された発明に基づいて当業者が容易に想到したものとはいえない。
　本件発明２−６は、いずれも本件発明１を引用し、更に限定を加えたものであるから、本件発明２−３も、本件発明１と同様、甲１に記載された発明とはいえず、本件発明２−６も、甲１に記載された発明に基づいて当業者が容易に想到したものとはいえない。
　また、本件発明６に関する申立ての理由２において、甲２には水膨潤性粘土鉱物に関する記載はないことから、甲２の記載事項は、上記（３）で示した相違点及びその判断を変えるものではない。このため、本件発明６は、甲１及び甲２に記載された発明に基づいて当業者が容易に想到したものとはいえない。
（５）まとめ
　以上のことから、申立ての理由１、２には理由がない。
３　申立ての理由３について
　申立人は、要するに、本願請求項４、５及び明細書【００２０】に記載されているＳＰ値は、温度の規定が無く、ＳＰ値が明確に説明されているとはいえず、実際の安定性を評価する環境の温度や肌表面温度は一定でなく、ＳＰ値は変動すると考えられ、成分（Ｂ）を特定するためのＳＰ値は曖昧なものであるため、当業者が本願発明を実施する際、どのように実施するかを理解することができない旨、主張する。
　本願明細書【００２０】には、成分（Ｂ）の具体例として、「具体的には、イソノナン酸イソノニル（SP値16.2、分子量284.5）、イソノナン酸2-エチルヘキシル（SP値16.5、分子量270.5）、ミリスチン酸イソプロピル（SP値16.8、分子量270.4）、ミリスチン酸ブチル（SP値16.8、分子量284.5）、パルミチン酸イソプロピル（SP値17.1、分子量295.5）、イソステアリン酸エチル（SP値17.3、分子量312.5）、イソステアリン酸イソプロピル（SP値17.2、分子量326.5）、オレイン酸エチル（SP値17.1、分子量310.5）、リノール酸エチル（SP値17.1、分子量308.5）、リノール酸イソプロピル（SP値17.1、分子量322.5）、ジカプリル酸プロピレングリコール（SP値17.5、分子量328.5）、トリ2-エチルへキサン酸グリセリル（SP値17.7、分子量470.7）等が挙げられる。これらは１種又は２種以上用いることができる。」と記載されている。
　そうすれば、これらの具体例を参考にして、当業者は「SP値が15以上19以下」（本件発明４）、「SP値が15以上18以下」（本件発明５）である成分（Ｂ）を選択して、本件発明を実施できるものといえる。
　このため、本件発明は、本件発明の詳細な説明の記載を参照して、当業者がその実施をすることができるものといえる。
　したがって、申立ての理由３には理由がない。
４　取消理由について
　平成２９年１１月８日付け取消理由通知書に示した取消理由は、
「Ａ　本件特許の請求項１−３に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができないものであり、その発明に係る特許は取り消すべきものである。
Ｂ　本件特許の請求項１−３に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないものであり、その発明に係る特許は取り消すべきものである。
…
刊行物１：特開２００１−３５４５１０号公報（甲第１号証）
…」というものであり、上記２に示した申立ての理由１及び２に含まれるものである。そして、上記２で検討したことに鑑みると、上記取消理由には理由がない。
第５　むすび
　以上のとおりであるから、異議申立ての理由及び当審からの取消理由によっては、本件発明１−６に係る特許を取り消すことはできない。
　また、他に本件発明１−６に係る特許を取り消すべき理由を発見しない。
　よって、結論のとおり決定する。
【異議決定日】
平成３０年７月３日（２０１８．７．３）
【訂正の要旨】
審決（決定）の【理由】欄参照。
（５７）【特許請求の範囲】
　【請求項１】
　次の成分（Ａ）〜（Ｄ）を含有し、
成分（Ａ）の含有量が０．０１質量％以上３質量％以下であり、
　（Ａ）　水膨潤性粘土鉱物
　（Ｂ）　２０℃で液状の極性油
　（Ｃ）　４価、５価及び６価の多価アルコールから選ばれる少なくとも１種以上
　（Ｄ）　水溶性高分子
　【請求項２】
　成分（Ｂ）の含有量が、組成物中に含まれる油性成分の総含有量中の１０質量％以上である請求項１記載の水中油型乳化組成物。
　【請求項３】
　成分（Ｃ）の含有量が、組成物中に含まれる多価アルコールの総含有量中の１５質量％以上２５質量％以下である請求項１又は２記載の水中油型乳化組成物。
　【請求項４】
　成分（Ｂ）のＳＰ値が１５以上１９以下、かつ分子量５００以下である請求項１〜３のいずれか１項に記載の水中油型乳化組成物。
　【請求項５】
　成分（Ｂ）のＳＰ値が１５以上１８以下、かつ分子量２５０以上３３０以下である請求項１〜３のいずれか１項に記載の水中油型乳化組成物。
　【請求項６】
　成分（Ｂ）が、炭素６以上２０以下の直鎖又は分岐の脂肪酸と炭素数２以上１２以下の分岐アルコールとのエステルを含む請求項１〜５のいずれか１項に記載の水中油型乳化組成物。